(57)【要約】      （修正有）【課題】安価で組立てが容易なラック組立て構造を提供する。【解決手段】ラックの背中板の左右両側と左右側板の連結部は、一体型のu型折縁となっており、左右のu型折縁の頂面と底端には凹縁及び穴が設けられている。また、側板前方内壁には縦系凸状スティックがある。棚板支持ユニットは背中板と側板の対向する位置決め穴に取り付けられ、差込部、ストッパー部及び支持部から構成されている。天板と底板はフレーム及びカバー板から構成され、フレーム部は側板と背中板の頂面、底部に装着することができ、対向する内側はそれぞれ凹縁と接しており、カバー板の周辺には折縁があり、天板のカバー板の折縁は側板及び背中板の最上部外側を包み込み、その折縁及びフレームの４隅の内側にはそれぞれ左、右側板の穴及び背中板の穴と対向する穴とねじ穴が設けられる。【選択図】図１
0003119739.tif 000002
【実用新案登録請求の範囲】
【請求項１】
左側板及び右側板と、
前記左側板及び前記右側板の後方に密着して取り付けられた背中板と、
前記左側板と前記右側板の前方に装着された扉板と、
前記左側板と前記右側板及び背中板の最上面と底面に取り付けられた天板及び底板と、
上下に間隔を空けて前記背中板に装着された棚板と、
を有し、
前記左側板と前記右側板によって形成される内部スペースに、また、前記扉板の上、下の接続領域には、ピボット軸が取り付けられ、当該ピボット軸は、当該接続領域の所定の領域に固定され、
前記背中板の左右側と前記左側板および前記右側板の接続部は、一体型のu型折縁となり、当該u型折縁の前方壁には、上下に間隔をおいて配列される位置決め穴があり、当該u型折縁に対向する内側壁の頂面と底端には、内側に凹んだ所定の区間に配置される凹縁があり、当該u型折縁に対向する外側の壁の頂面と底端には、穴が設けられ、
前記左側板および前記右側板の前後の側面には、内側に延びた一体型のn型折縁があり、当該n型折縁の後方は、前記背中板の前記u型折縁と組み合わせ、前記左側板および前記右側板の頂面と底端の前後の角には、穴が設けられ、後方角の穴は前記背中板の前記u型折縁の穴と相対し、前記左側板および前記右側板の前方内壁には、縦系凸状スティックがあり、当該縦系凸状スティックは、前記背中板の左右側における前記u型折縁の前方壁と間隔をおいて対向する内凸面及び当該内凸面と対向する位置決め穴を形成し、
前記棚板を載せるための支持ユニットが前記背中板と前記左側板および前記右側板の対向する前記位置決め穴に取り付けられ、前記位置決め穴に挿入する差込部と、位置を固定するストッパー部及び前記棚板を載せるための支持部から構成され、
前記天板と前記底板は、一つのフレーム及び一枚のカバー板から構成され、当該フレームは、前記左側板および前記右側板の頂面と底部に装着することができ、対向する内側は、それぞれ前記凹縁と接し、前記天板と前記底板の頂面と底部は、前記左側板および前記右側板と前記背中板の頂面と底部に平行し、当該カバー板の周辺には折縁があり、前記天板の当該カバー板の当該折縁は、前記左側板および前記右側板及び前記背中板の最上面の外側を包み込み、当該折縁及び当該フレームの４隅の内側には、それぞれ前記左側板と前記右側板の穴及び前記背中板の穴と対向する穴とねじ穴が設けられ、ボルトを利用し、前記天板、前記底板、前記左側板と前記右側板、及び前記背中板を同時に固定し、組み合わせることができ、
前記ピボット軸の縦棒の末端部を軸受け穴に差し込み、前記扉板は、当該軸受け穴を回転の支持点としてスウィングして開閉することができ、前記ピボット軸の当該縦棒は、前記扉板の接続領域に設けられる穴を貫通し、前記ピボット軸の横棒は、前記扉板の接続領域に設けられる位置決め部で固定され、当該位置決め部は、曲型穴溝であり、当該曲型穴溝は、横向き導入部及び縦向き勘合部を含み、前記ピボット軸の当該横棒は、当該曲型穴溝の横向き導入部を通じて下降し、当該縦向き勘合部と結合して固定される、
ラック組立て構造。
【請求項２】
前記棚板の前記支持ユニットは、一体成型の金属製であり、外部には平面支持部が形成され、内側は斜面板状となり、差込部を形成し、
前記平面支持部の対向する両サイドは下向きに設置され、差込部と折り曲げ板を形成し、ストッパーを構成し、
前記背中板と前記左側板および前記右側板の前記位置決め穴は、横向きの長形穴を形成して前記差込部と対応する、
請求項１に記載のラック組立て構造。
【請求項３】
前記左側板および前記右側板の前方内壁の前記縦系凸状スティックは、単独の半田付け固定式ヶ形断面金属板である、
請求項１に記載のラック組立て構造。
【請求項４】
前記底板は、前記フレームの底部の４隅に着地支柱を有する、
請求項１に記載のラック組立て構造。
【請求項５】
前記左側板および前記右側板の前方の前記n型折縁は、さらに延伸して前記扉板の前記ストッパーとして利用される、
請求項１に記載のラック組立て構造。
【請求項６】
前記曲型穴溝は、前記扉板の前記接続部に装着される板に設置され、当該板と前記ピボット軸の前記横棒は、縦向き対向関係を有する、
請求項１に記載のラック組立て構造。
【考案の詳細な説明】
【技術分野】
【０００１】
本考案は、ラック構造に関し、特に、ラックの組立て構造に関する。
【背景技術】
【０００２】
組立て式ラックは分解できる、運搬が便利といったメリットにより、幅広く使用されている。現在、市場に出回っている組立て式ラックはウッド材質、金属材質にかかわらず、様々な種類のものが提供されている。従来のラック構造形態は配管とフレームを組立てたものが多く、各面を金属板、扉板で構成する密閉式ラックはほとんど存在しない。というのも、伝統的な金属製ラックは半田付けで各面の金属板を結合固定しているため、組立て式として運用する場合、接続部の強度が不足するという技術的な問題点に遭遇する。これでは使用者に実用的かつ長期使用に耐えられる製品を提供できないのである。
【０００３】
また、一般的によく知られているラック扉板は連結部に蝶番等の金属パーツを使用しなければならない。しかし、これらの金属パーツはねじを使ってラックに装着されるため、木質ラックは直接ねじを固定できるが、金属ラックの場合、予めラック及び扉板にねじ穴を開けなければならず、それだけコストが高くかかってしまう。しかも一般的に普及しているＤＩＹ組立て式ラックの場合、ヒンジとねじを使った組立て構造が多く、手間と時間を要する。
【０００４】
よって、既存の組立て式ラック構造の問題点を改善し、より理想的で実用性を伴った新型構造を開発することは関連業者の目指すところである。
【０００５】
考案者は長年関連製品の設計開発に携わってきた経験を活かし、上述の目標を達成すべく、工夫を凝らした設計を取り入れ、慎重に評価を重ねた後にやっとこのような実用性をもった考案品を開発したのである。
【考案の開示】
【考案が解決しようとする課題】
【０００６】
本考案の目的は、ラック組立て構造を提供することにある。
【課題を解決するための手段】
【０００７】
前述の目的を図るために、本考案におけるラックは背中板、左右側板、天板、底板、棚板及び扉板から構成されている。問題を解決するための技術手法は、背中板の左右両側と左右側板の連結部が一体型のU型折縁となっており、そのU型折縁の前方壁には上下に一定間隔をおいて配列された位置決め穴があり、左右のU型折縁に対向する内側壁の頂面、底端には内側に凹んだ所定の区間に配置された凹縁があり、左右のU型折縁に対向する外側の壁の頂面、底端には穴が設けられている。左右側板の前後には内側に延びた一体型のn型折縁があり、その後方側面のn型折縁は背中板のU型折縁と対応することができ、左右の側板の頂面、底端の前後の角には穴が設けられ、後方角の穴は背中板のU型折縁の穴と相対している。また、左右の側板の前方内壁には一つの縦系凸状スティックがあり、その縦系凸状スティックは背中板の左右側のU型折縁の前方壁と間隔をおいて対向する内凸面及びそれと対向する位置決め穴を形成している。
【０００８】
棚板を載せるための支持ユニットは、背中板と左右の側板の対向する位置決め穴に取り付けられ、位置決め穴に挿入できる差込部と、位置を固定できるストッパー部及び棚板を載せるための支持部から構成されている。天板、底板は一つのフレーム及び一枚のカバー板から構成され、フレーム部は左右の側板と背中板の頂面、底部に装着することができ、対向する内側はそれぞれ凹縁と接しており、天板、底板フレームの頂面、底部は左右側板と背中板の頂面、底部に平行し、カバー板の周辺には折縁があり、天板のカバー板の折縁は左右側板及び背中板の最上面外側を包み込み、その折縁及びフレームの４隅の内側にはそれぞれ左右側板の穴及び背中板の穴と対向する穴とねじ穴が設けられている。ボルトを利用すれば天板、底板、左右の側板と背中板を同時に固定し、組み合わせることができる。この新型設計は背中板の両側と左右側板の接続部がu型折縁及びn型折縁を形成することを特徴とし、それによって背中板と側板は確実に組立て部に接着し、さらに棚板支持ユニットの差込部を挿入できる位置決め穴の立体空間及びボルトを通して固定できるボルトを形成している。本考案は使用者に手軽に組立てできる、十分な強度をもった密閉型組立て式ラック構造を提供し、消費者の様々な需要に応えることのできるものとなっている。
【０００９】
本考案のもう一つの創意工夫はラック扉板のピボット軸位置決め部を曲型穴溝としたことである。これによりピボット軸を装着した時、横棒は曲折移動ルートを通じて曲型穴溝の縦向き勘合部に組み込まれ、しっかりと固定される。これにより、工具を使わなくてもラックを効率よく組立てることができるため、実用性を考慮した改良構造といえる。
【考案の効果】
【００１０】
本考案は背中板の両側と左右側板のu型折縁及びn型折縁となっている接続部の特殊な構造を利用して、背中板と側板を確実に結合固定している。それと同時に棚板支持ユニットの差込部を挿入できる位置決め穴立体空間及び形成ボルトを通して固定できる穴を形成している。このような斬新的な設計を採り入れたことにより、既存のラック構造の欠点を改善し、使用者に簡単に組立てられる、十分な強度をもった板式密閉型組立て式ラック構造を提供し、消費者の様々な需要に対応できる考案となっている。
【００１１】
本考案はピボット軸の位置決め部を曲型穴溝に変えた独創的な設計により、そのピボット軸を装着した時、横棒は曲折移動ルートを通じて曲型穴溝の縦向き勘合部に組み込まれ、しっかりと固定される。このことは既存構造の様々な問題を解決し、工具を使わなくてもラックを効率よく組み立てることができるため、実用性を兼ね備えた改良構造といえる
【考案を実施するための最良の形態】
【００１２】
次に、添付した図面を参照しながら、本考案の好適な実施形態を詳細に説明する。
【００１３】
第１、第２図は本考案におけるラック組立て構造の好適な実施形態であり、それは、背中板１０、左側板２１、右側板２２、天板３１、底板３２、棚板４０及び扉板５０から構成されている。本実施形態における各ユニットの部品は全て金属材質の板材を使用しており、背中板１０は左、右側板２１、２２後方の間に密着して取り付けられている。扉板５０は、左側板２１と右側板２２の前方の間、天板３１と底板３２は左、右側板２１、２２及び背中板１０の最上面と底面に取り付けられている。棚板４０は、上下間隔を空けて背中板１０に装着されており、左、右側板２１、２２によって形成されたラックの内部スペースの改良項目は下記のユニットを含む。
【００１４】
背中板１０の左右と左右側板２１、２２の接続部は一体型のu型折縁１１となっており、そのu型折縁１１の前方壁には上下に一定間隔をおいて配列された位置決め穴１２があり、左右のu型折縁１１に対向する内側壁の頂面と底端には内側に凹んだ所定の区間に配置された凹縁１３があり、左右のu型折縁１１に対向する外側の壁の頂面と底端には穴１４が設けられている。
【００１５】
左、右側板２１、２２前後の側面には、内側に延びた一体型n型折縁２３と２４があり、その後方側面のn型折縁２４は、背中板１０のu型折縁１１と上手く合致し、左、右側板２１、２２の頂面と底部前後の角には、穴２５が設けられ、後方角の穴２５は背中板１０のu型折縁１１の穴１４と相対し、n型折縁２４の最上部は同様にして凹縁２６を形成して背中板１０の凹縁１３と平行している。また、左、右側板２１、２２の前方内壁には、一つの縦系凸状スティック６０があり、その縦系凸状スティックは、背中板１０左右のu型折縁１１の前方壁と間隔をおいて対向する内凸面６１及び位置決め穴６２を形成している。
【００１６】
棚板支持ユニット７０は、背中板１０、左側板２１、右側板２２、縦系凸状スティック６０と対向する位置決め穴１２と６２に取り付けられ、棚板４０を支持する役割を果たす。棚板支持ユニット７０は、位置決め穴１２と６２に挿入できる差込部７１、位置を固定できるストッパー部７２及び棚板４０を載せるための支持部７３によって構成されている。
【００１７】
天板３１、底板３２は、一つのフレーム３３及び一枚のカバー板３４から構成され、フレーム３３部は、左側板２１、右側板２２と背中板１０の頂面と底部に装着することができ、対向する内側は、それぞれ凹縁１３と２６と接しており、天板と底板フレーム３３の頂面と底部は、左側板２１、右側板２２と背中板１０の頂面と底部に平行し、カバー板３４の周辺には、折縁３５があり、天板３１のカバー板３４の折縁３５は、左右側板２１と２２及び背中板１０の最上面の外側（詳細は第５図を参照）を包み込み、その折縁３５及びフレーム３３の４隅の内側には、それぞれ左右側板２１と２２の穴２５及び背中板１０の穴１４と対向する穴３６とねじ穴３７が設けられている。ボルト８０を利用すれば、天板３１、底板３２、左側板２１、右側板２２と背中板１０を同時に固定し、組み合わせることができる。
【００１８】
その棚板支持ユニット７０は、一体成型の金属製で、外部には、平面支持部７３が形成され、内側は斜面板状となっており、差込部７１を形成している。支持部７３の対向する両サイドは差込部７１と三角形の断開間隔を成した下向きの折り曲げ板を形成し、ストッパー７２を構成している。これにより背中板１０と左側板２１、右側板２２の位置決め穴１２と６２は横向きの長形穴を形成して前述の差込部７１と対応している。
【００１９】
その左側板２１、右側板２２の前方内壁の縦系凸状スティック６１は、単独の半田付け固定式ヶ形断面金属板となっている（第４図、第９図を参照）。
【００２０】
フレーム３３の底板３２の底部４隅には（例えばプラグ、半田付け等）着地台９０を装着できる。
【００２１】
第１０図が示すように、側板２１前方のn型折縁２３を延伸させるとある扉板ストッパー２７を構成することができ、この機構により扉板５０を締めた時の位置を制限することができる。
【００２２】
上述の構造に基づき本考案の組立て式ラックの組立て手順を下記に示す。
【００２３】
まずは左側板２１と右側板２２後方のn型折縁２４を背中板１０のu型折縁１１を附き合わせ、天板３１、底板３２を左側板２１と右側板２２と背中板１０の頂面と底部にそれぞれ装着すると、対向する内側は凹縁１３と２６と抵触し、天板と底板フレーム３３の頂面と底部と、左側板２１と右側板２２と背中板１０頂面と底部が平行に揃うようになる。そして、各隅のボルト８０を締め付け、ボルト８０が全て固定されたら、ラックの外部フレームが完成する。内部棚板４０に関しては、棚板４０の高さや数量に従って支持ユニット７０の組み付け位置を自由に決めてことができる。各棚板４０を支持ユニットの上に載せれば完成となる。また、扉板５０はその接続部の構造、型態の違い（例えばヒンジ式、回転軸式等）に合わせて取り付けることができる。ここでラック全体の組立ては完成する。
【００２４】
第１１図と第１２図が示すように、ラックの扉板の上下の接続部には、ピボット軸５１が付いており、そのピボット軸は接続部に設けられた位置決め部にて固定される。ピボット軸５１の縦棒５１１の末端をラック最上部フレーム３３（或いは底部フレーム）の軸受け穴３３０に挿入すると、扉板５０はその軸受け穴３３０を回転支持点として開閉できる仕組みとなっている。その中で、ピボット軸５１の縦棒５１１は、扉板５０の接続部に設けられた二つの穴５０１と５０２を通じて固定され、位置決め部は横向き導入部５２１及び縦向き勘合部５２２を含む一つ曲型穴溝５２から形成され、前述のピボット軸５１の横棒５１２をその曲型穴溝５２の横向き導入部５２１に入れて下ろすと、縦向き勘合部５２２と結合し、ピボット軸５１はしっかりと固定され、回転もしくは落下するのを防止できる。
【００２５】
前述の曲型穴溝５２は扉板５０の接続部に設けられた板５３に取り付けることができ、その板はピボット軸５１の横棒５１２と縦方向に相対している。
【００２６】
上述の構造と設計に基づいて、ピボット軸５１を取り付ける時、まずは第１１図を参照して、縦棒５１２を下から上に向けて扉板５０の二つの穴５０１と５０２に通した後、ラック最上部フレーム３３の軸受け穴３３０に挿入し、第２図が示すようにそのピボット軸５１の横棒５１２を片側に横スウイングさせて曲型穴溝５２の横向き導入部５２１に装着する。この後、横棒５１２を直接下降させて曲型穴溝５２の縦向き勘合部５２２（第３図を参照）に結合させると、ピボット軸５１は回転と落下しなくなり、しっかりと固定される。反対に、ピボット軸５１を取り外す時は、横棒５１２を上に上げて縦向き勘合部５２２から離した後、回転させながら横向き導入部５２１から外部に取り出せば、ピボット軸５１全体を扉板５０及びラックから外すことができる。このように、ピボット軸５１の装着と取り外しは、スピーディかつ簡単に行え、しかも作業者は工具を使わなくても作業できる仕組みとなっている。
【００２７】
補充説明として、ピボット軸５１の装着が完成すると、重力の作用により自動下降し、横棒５１２は曲型穴溝５２の縦向き勘合部５２２の中でしっかりと固定されるようになる。また、扉板５０の開閉スウィングは、横向き運動のため、ピボット軸５１の固定状態に影響する恐れはない。
【００２８】
第１６図と第１７図は本考案における天板配置型態の他の実施形態を示している。天板３１Ｂのフレーム３３Ｂは、左右側板２１と２２の最上面に設けられた折面２８の縦方向に取り付けられたボルト２９で固定され、フレーム３３Ｂの後側には横向きのねじ穴３８があり、カバー板３４Ｂの底部前方のストッパー３４１をフレーム３３Ｂの前方底部に装着できる仕組みとなっている。カバー板３４Ｂの底部後方には、フレーム３３Ｂの後側に接した一つの接続板３４２があり、その接続板３４２にはフレーム３３Ｂ後方のねじ穴３８と対向する穴３４３があり、それらはボルト３９を横止めすることで固定される。この仕組みによりカバー板３４Ｂとフレーム３３Ｂは固定結合され、天板３１Ｂの全体を組立てた後は、ボルトが露出しない見栄えのよい構造となる（第１８図を参照）。
【００２９】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００３０】
【図１】本考案の組立て斜視図である。
【図２】本考案の分解斜視図である。
【図３】第２図の局部拡大図である。
【図４】第２図の局部拡大図である。
【図５】本考案における背中板と側板をボルトで結合させた時の縦断面図である。
【図６】本考案における背中板と側板の結合領域の横断面図である。
【図７】本考案における棚板組立て領域の分解斜視図である。
【図８】本考案における棚板組立て領域の縦断面図である。
【図９】本考案における棚板組立て領域の横向き断面図である。
【図１０】本考案における側板前方を扉板ストッパーとした時の横向き断面図である。
【図１１】本考案におけるピボット軸と扉板、ラック分解状態を示す斜視図である。
【図１２】本考案におけるピボット軸組立て手順を示す図である。
【図１３】本考案におけるピボット軸組立て手順を示す他の図である。
【図１４】本考案におけるラック全体の外観形態を示す図である。
【図１５】本考案におけるピボット軸を扉板とラックに装着した時の平面図である。
【図１６】本考案の天板配置形態の別の実施形態における細部分解斜視図である。
【図１７】本考案の天板配置形態の別の実施形態における分解斜視図である。
【図１８】本考案の天板配置形態の別の実施形態における組立て図である。
【符号の説明】
【００３１】
１０  背中板
１１  u型折縁
１２  位置決め穴
１３  凹縁
１４  穴
２１  左側板
２２  右側板
２３、２４  n型折縁
２５  穴
２６  凹縁
２７  扉板ストッパー
２８  折面
２９  ボルト
３１、３１Ｂ  天板
３２  底板
３３、３３Ｂ  フレーム
３４、３４Ｂ  カバー板
４１  ストッパー縁
３４２  接続板
３４３  穴
３５  折縁
３６  穴
３７  ねじ穴
３８  ねじ穴
３９  ボルト
４０  棚板  
５０  扉板
５１  ピボット軸
５１１  縦棒
５１２  横棒
６０  縦系凸状スティック
６１  内凸面
６２  位置決め穴
７０  支持ユニット
７１  差込部
７２  ストッパー部
７３  支持部
８０  ボルト
９０  着地支柱
３３０  軸受け穴
５０１  ５０２穴
５２  曲型穴溝
５３  板
５２１  横向き導入部
５２２  縦向き勘合部
【図１】
0003119739.tif 000003
【図２】
0003119739.tif 000004
【図３】
0003119739.tif 000005
【図４】
0003119739.tif 000006
【図５】
0003119739.tif 000007
【図６】
0003119739.tif 000008
【図７】
0003119739.tif 000009
【図８】
0003119739.tif 000010
【図９】
0003119739.tif 000011
【図１０】
0003119739.tif 000012
【図１１】
0003119739.tif 000013
【図１２】
0003119739.tif 000014
【図１３】
0003119739.tif 000015
【図１４】
0003119739.tif 000016
【図１５】
0003119739.tif 000017
【図１６】
0003119739.tif 000018
【図１７】
0003119739.tif 000019
【図１８】
0003119739.tif 000020